【事件の表示】
　特許第３２２９３００号「パチンコ遊技機」の請求項１〜３に係る特許に対する特許異議の申立てについて、次のとおり決定する。
【結　論】
　訂正を認める。
　特許第３２２９３００号の請求項１〜３に係る特許を取り消す。
【理　由】
１・手続の経緯
　特許第３２２９３００号の請求項１〜３に係る各発明についての特許出願は、平成７年１２月２９日に出願された特願平７−３５３０７０号の一部が、平成１１年１１月１９日に、特許法第４４条第１項の規定により新たな特許出願とされたものであって、平成１３年９月７日にその特許権の設定登録がなされ、その後、丸本功彦より特許異議の申立てがなされ、取消しの理由が通知され、その指定期間内である平成１４年１１月１１日に訂正請求がなされたものである。
２・訂正の適否についての判断
（１）訂正の内容
ア・訂正事項ａ
　特許請求の範囲の請求項１の記載について、「・・・凹み部を有し、前記耳部は・・・」とあるのを、「・・・凹み部を有し、前記位置決め穴は、底面部と側壁部を有する刳り抜かれた状態のものであり、前記位置決め突起の突出端は、前記位置決め突起の突出端を前記位置決め穴に嵌め込んだ状態で、前記位置決め穴の底面部及び側壁部に囲まれ、前記耳部は・・・」と訂正する。
イ・訂正事項ｂ
　明細書の段落【０００６】の記載について、「・・・凹み部を有し、前記耳部は・・・」とあるのを、「・・・凹み部を有し、前記位置決め穴は、底面部と側壁部を有する刳り抜かれた状態のものであり、前記位置決め突起の突出端は、前記位置決め突起の突出端を前記位置決め穴に嵌め込んだ状態で、前記位置決め穴の底面部及び側壁部に囲まれ、前記耳部は・・・」と訂正する。
（２）訂正の目的の適否、新規事項の有無及び拡張・変更の存否
　上記訂正事項ａの「前記位置決め穴は、底面部と側壁部を有する刳り抜かれた状態のものであり」に関連する記載として、願書に添付した明細書（以下、特許明細書という。平成１３年７月５日付け手続補正によって補正されたもの）の発明の詳細な説明の段落【０００７】には、「位置決め穴の底面部に「削り残し」、「削り損じ」、「バリ」等の不良個所が存在しても」及び「位置決め穴の穿設治具（「ドリル」等）」と記載され、また、同訂正事項の「前記位置決め突起の突出端を前記位置決め穴に嵌め込んだ状態で、前記位置決め穴の底面部及び側壁部に囲まれ」に関連する記載として、特許明細書の発明の詳細な説明の段落【００１２】には、「位置決め穴（穴径；８〜１６ｍｍφ、深さ；３〜３.５ｍｍ）」及び段落【００１４】には、「位置決め突起（高さ；２.５ｍｍ、根元側の外径；１７ｍｍφ、突出端側の外径；１５ｍｍφ）」と記載されていることから、「前記位置決め穴は、底面部と側壁部を有する刳り抜かれた状態のものであり、前記位置決め突起の突出端は、前記位置決め突起の突出端を前記位置決め穴に嵌め込んだ状態で、前記位置決め穴の底面部及び側壁部に囲まれ」は、特許明細書に記載されていたものと認める。
　そうすると、上記訂正事項ａは、特許明細書に記載された事項の範囲内において「位置決め穴」及び「位置決め穴と位置決め突起との関係」を限定したものであるから、特許請求の範囲の減縮を目的とした明細書の訂正に該当するものであり、新規事項の追加に該当しない。
　また、上記訂正事項ｂは、上記訂正事項ａと整合を図るものであるから、明りょうでない記載の釈明を目的とした明細書の訂正に該当するものであり、新規事項の追加に該当しない。
　そして、上記何れの訂正事項も実質上特許請求の範囲を拡張し、又は変更するものでもない。
（３）むすび
　したがって、上記訂正は、特許法第１２０条の４第２項及び同条第３項において準用する特許法第１２６条第２項及び第３項の規定に適合するので、当該訂正を認める。
３・特許異議の申立てについての判断
（１）本件発明
　上記２・で示したように上記訂正が認められるから、本件の請求項１〜３に係る各発明は、上記訂正に係る訂正明細書の特許請求の範囲の請求項１〜３に記載された事項により特定される下記のとおりのものである。
「１・裏面に穿設される位置決め穴を有する遊技盤と、
　前記位置決め穴に対し、樋底面に対向する開放部の存在する前方部の適所より突出されると共に、前記遊技盤の裏面に取着される際に、該位置決め穴に嵌め込まれる位置決め突起を有し、前記遊技盤の裏面に取着されて、該遊技盤の裏面に導かれた入賞球を誘導するための誘導経路を形成する入賞球誘導用裏樋と、を備えたパチンコ遊技機において、
　前記入賞球誘導用裏樋は、前記開放部の端縁から延出された耳部を有し、
　前記位置決め突起は、前記耳部に形成されるとともに、その突出端側に形成される凹み部を有し、
　前記位置決め穴は、底面部と側壁部を有する刳り抜かれた状態のものであり、
　前記位置決め突起の突出端は、前記位置決め突起の突出端を前記位置決め穴に嵌め込んだ状態で、前記位置決め穴の底面部及び側壁部に囲まれ、
　前記耳部は、入賞球誘導用裏樋を遊技盤の裏面に固定した状態で遊技盤の裏面に接触した状態になることを特徴とするパチンコ遊技機。
２・前記位置決め突起は、その突出端側にいくに従って絞り込まれていることを特徴とする請求項１に記載のパチンコ遊技機。
３・前記入賞球誘導用裏樋は、所定の樹脂系原料を用いて製造されることを特徴とする請求項１又は請求項２に記載のパチンコ遊技機」
（２）引用刊行物に記載された発明
　当審で通知した取消しの理由で引用した、本件特許出願前に国内において頒布された刊行物１（実願平４−８８７１４号（実開平６−４４５８１号）のＣＤ−ＲＯＭ）には、
特に、
（ア）「遊技盤１０の裏面には、入賞玉誘導カバー体３０が取り付けられている・・・入賞玉誘導カバー体３０は、その中央に・・・中央開口３１が形成されると共に、遊技盤１０に設けられる入賞口・・・に入賞した入賞玉を誘導する誘導通路・・・が中央開口３１の周囲に形成されている。誘導通路・・・は、遊技盤１０の裏面と密着する側が開放した断面コ字状に形成されている」（第８頁第４〜１２行）及び「入賞玉誘導カバー体３０の前面側上部の左右には、図１に示すように、遊技盤１０への取付位置を正確に行うための位置決め突起３６が形成されている」（第９頁第４〜６行）の記載、
（イ）図１（第２頁）の記載から、
位置決め突起３６は、その突出端側に凹み部が形成されているものと認められること、
（ウ）上記（ア）、図１（第２頁）及び図３（第２頁）の記載から、
位置決め突起３６は、開放部の端縁から延出された平面部に形成され、該平面部は、入賞玉誘導カバー体３０を遊技盤１０の裏面に固定した状態で、遊技盤１０の裏面に接触した状態になるものと認められること、
（エ）「入賞玉誘導カバー体３０全体が１つの合成樹脂成形型によって１ショット成型することができる」（第９頁第３，４行）の記載から、
入賞玉誘導カバー体３０は、所定の樹脂系原料を用いて製造されるものと認められること、
からみて、
「裏面に穿設される位置決め穴を有する遊技盤１０と、
　前記位置決め穴に対し、後面壁３５に対向する開放部の存在する前方部の適所より突出されると共に、前記遊技盤１０の裏面に取着される際に、該位置決め穴に嵌め込まれる位置決め突起３６を有し、前記遊技盤１０の裏面に取着されて、該遊技盤１０の裏面に導かれた入賞球を誘導するための誘導通路３２ａ〜３２ｄを形成する入賞玉誘導カバー体３０と、を備えたパチンコ機において、
　前記位置決め突起３６は、前記開放部の端縁から延出された平面部に形成されるとともに、その突出端側に形成される凹み部を有し、
　前記平面部は、入賞玉誘導カバー体３０を遊技盤１０の裏面に固定した状態で遊技盤１０の裏面に接触した状態になるパチンコ機」（刊行物１に記載された発明Ａ）
及び
「前記入賞玉誘導カバー体３０は、所定の樹脂系原料を用いて製造される刊行物１に記載された発明Ａのパチンコ機」（刊行物１に記載された発明Ｂ）
を構成とする各発明が記載されているものと認められる。
　同じく、本件特許出願前に国内において頒布された刊行物２（実願昭６１−２２９４５号（実開昭６２−１３７０８０号）のマイクロフィルム）には、
特に、
「２４は前記平面部本体の両側上方に形成した突出部２５に設けられた球誘導カバー６を遊技盤２に位置決めするための突起である」（明細書第７頁第１２〜１５行）、図面第４図、図面第５図及び図面第１１図の記載、
からみて、
「裏面２ａに穿設される位置決め穴を有する遊技盤２と、
　前記位置決め穴に対し、前方部の適所より突出されると共に、前記遊技盤２の裏面２ａに取着される際に、該位置決め穴に嵌め込まれる位置決めするための突起２４を有し、前記遊技盤２の裏面２ａに取着されて、該遊技盤２の裏面２ａに導かれたセーフ球を誘導するための球誘導路を形成する球誘導カバー６と、を備えたパチンコ機において、
　前記球誘導カバー６は、突出部２５を有し、
　前記位置決めするための突起２４は、前記突出部２５に形成され、
　前記突出部２５は、球誘導カバー６を遊技盤２の裏面２ａに固定した状態で遊技盤２の裏面２ａに接触した状態になるパチンコ機」
を構成とする発明が記載されているものと認められる。
　同じく、本件特許出願前に国内において頒布された刊行物３（特開平５−２９３２１２号公報）には、
特に、
「嵌合凸部１７Ｃ、１７Ｅは、取付基盤側の部分である基礎部の径が嵌合穴３４Ｃ、３４Ｅの径と略同一であり、遊技盤本体側の部分である先端部の径が嵌合穴３４Ｃ、３４Ｅの径よりも略小さく、いわゆるテーパ状を成すように形成されており、ある程度の力で挿入すると嵌合凸部１７Ｃ、１７Ｅと嵌合穴３４Ｃ、３４Ｅとの周面摩擦力等により相互に嵌合するように構成されている」（第４頁第５欄第３３〜４０行）及び図５（第７頁）の記載から、
嵌合凸部１７Ｃ、１７Ｅは、その先端側にいくに従って絞り込まれているものと認められること、
からみて、
「嵌合凸部１７Ｃ、１７Ｅは、その先端側にいくに従って絞り込まれているパチンコ遊技機」
を構成とする発明が記載されているものと認められる。
（３）対比及び判断
ア・本件請求項１に係る発明（前者）と刊行物１に記載された発明Ａ（後者）とを対比すると、
後者の
「後面壁３５」、「誘導通路３２ａ〜３２ｄ」、「入賞玉誘導カバー体３０」及び「パチンコ機」
がそれぞれの機能に照らし、それぞれ
前者の
「樋底面」、「誘導経路」、「入賞球誘導用裏樋」及び「パチンコ遊技機」
に相当するものと認められるから、
両者は、
「裏面に穿設される位置決め穴を有する遊技盤と、
　前記位置決め穴に対し、樋底面に対向する開放部の存在する前方部の適所より突出されると共に、前記遊技盤の裏面に取着される際に、該位置決め穴に嵌め込まれる位置決め突起を有し、前記遊技盤の裏面に取着されて、該遊技盤の裏面に導かれた入賞球を誘導するための誘導経路を形成する入賞球誘導用裏樋と、を備えたパチンコ遊技機において、
　前記位置決め突起は、その突出端側に形成される凹み部を有するパチンコ遊技機」である、
点において一致し、
（ア）前者においては、入賞球誘導用裏樋が開放部の端縁から延出された耳部を有し、位置決め突起が該耳部に形成され、該耳部が入賞球誘導用裏樋を遊技盤の裏面に固定した状態で遊技盤の裏面に接触した状態になる、
のに対し、
後者においては、かかる構成が明らかではない、
（イ）前者においては、位置決め穴が、底面部と側壁部を有する刳り抜かれた状態のものであり、位置決め突起の突出端が、前記位置決め突起の突出端を前記位置決め穴に嵌め込んだ状態で、前記位置決め穴の底面部及び側壁部に囲まれるようになっている、
のに対し、
後者においては、かかる構成が明らかではない、
点において相違するものと認められる。
　しかし、相違点（ア）についてみるに、
刊行物２に記載された発明の
「位置決めするための突起２４」、「セーフ球」、「球誘導路」、「球誘導カバー６」、「パチンコ機」及び「突出部２５」
がそれぞれの機能に照らし、それぞれ
前者の
「位置決め突起」、「入賞球」、「誘導経路」、「入賞球誘導用裏樋」、「パチンコ遊技機」及び「延出された耳部」
に相当するものと認められるから、
刊行物２に記載された発明には、
「裏面に穿設される位置決め穴を有する遊技盤と、
　前記位置決め穴に対し、前方部の適所より突出されると共に、前記遊技盤の裏面に取着される際に、該位置決め穴に嵌め込まれる位置決め突起を有し、前記遊技盤の裏面に取着されて、該遊技盤の裏面に導かれた入賞球を誘導するための誘導経路を形成する入賞球誘導用裏樋と、を備えたパチンコ遊技機において、
　前記入賞球誘導用裏樋は、延出された耳部を有し、
　前記位置決め突起は、前記延出された耳部に形成され、
　前記延出された耳部は、入賞球誘導用裏樋を遊技盤の裏面に固定した状態で遊技盤の裏面に接触した状態になるパチンコ遊技機」という構成、
すなわち、「耳部」が「入賞球誘導用裏樋の開放部の端縁から延出される」という構成を除き、上記相違点（ア）の前者の構成である「位置決め突起が入賞球誘導用裏樋の耳部に形成され、該耳部が入賞球誘導用裏樋を遊技盤の裏面に固定した状態で遊技盤の裏面に接触した状態になる」という構成、
が備わっているものと認められる。
　そこで検討するに、後者及び刊行物２に記載された発明が、共に、パチンコ遊技機の入賞球誘導用裏樋に関するものである以上、後者に刊行物２に記載された発明を適用することは、当業者が格別困難性を要することではなく、そして、刊行物２に記載された発明に「位置決め突起が入賞球誘導用裏樋の耳部に形成され、該耳部が入賞球誘導用裏樋を遊技盤の裏面に固定した状態で遊技盤の裏面に接触した状態になる」という構成が備わっている以上、後者の入賞球誘導用裏樋に耳部を形成し、該耳部に位置決め突起を位置させ、該耳部が入賞球誘導用裏樋を遊技盤の裏面に固定した状態で遊技盤の裏面に接触した状態になるように構成することは、当業者が格別創意工夫を要することではないというべきである。更に、刊行物２に備わっていない、「耳部」が「入賞球誘導用裏樋の開放部の端縁から延出される」という構成についてみるに、後者において、そもそも位置決め突起は、入賞球誘導用裏樋の開放部の端縁から延出された平面部に形成されているのであるから、後者に刊行物２に記載された発明を適用して、後者の入賞球誘導用裏樋に耳部を形成するときに、耳部を入賞球誘導用裏樋の開放部の端縁から延出された部位とすることは、当業者が格別創意工夫を要することではないというべきである。
　又、上記相違点（ア）の前者の効果は、後者及び刊行物２に記載された発明の各効果の総和以上の格別なものと認められない。
　相違点（イ）についてみるに、
位置決め穴が、「底面部と側壁部を有する刳り抜かれた状態のもの」であり、かつ、位置決め突起の突出端が、「位置決め突起の突出端を位置決め穴に嵌め込んだ状態で、前記位置決め穴の底面部及び側壁部に囲まれる」ということは、要するに、位置決め穴が底面を備えた穴であり、位置決め突起の突出端がそのような位置決め穴に納まっている、ということをいっているものと認められる。
　そこで検討するに、上記３・（２）（ア）の刊行物１の第８頁第４〜１２行の「・・・誘導通路・・・は、遊技盤１０の裏面と密着する」という記載からみて、後者においても、位置決め突起の突出端が位置決め穴に納まっていることは明らかであるものと認められるものの、後者の位置決め穴に底面が備わっているかどうかは明らかではないものと認められる。しかし、遊技盤が遊技者の目に晒され、かつ、ある程度の厚み（約２０ｍｍ）があるものであることからすれば、後者の位置決め穴は、貫通穴ではなく、底面を備えているとみるのが普通であり、このことは、「底面を備えた位置決め穴」に「位置決め突起の突出端を納める」ことが、例えば、実願昭６２−１９５６５号（実開昭６３−１２７６７７号）のマイクロフィルム（係合突起２７ａ〜２７ｆ及び係合溝１５ａ〜１５ｆ参照）や特許明細書に従来の技術として挙げられている特開平２−７４２７６号公報（位置決めボス１６ａ，１６ｂ及び位置決め孔９ａ，９ｂ参照）に記載されていることからも裏付けられる。そうすると、相違点（イ）の前者の構成は、せいぜい単なる設計事項というべきものであり、したがって、上記相違点（イ）は、実質的な相違ではないというべきである。
　又、前者の効果は、後者及び刊行物２に記載された発明の各効果の総和以上の格別なものと認められない。
イ・本件請求項２に係る発明（前者）と刊行物１に記載された発明Ａ（後者）とを対比すると、
上記（３）ア・に記したように、上記相違点（イ）が実質的な相違ではないから、
両者間には、上記相違点（ア）の他に、
位置決め突起が、
前者においては、その突出端側にいくに従って絞り込まれている、
のに対し、
後者においては、かかる構成が明らかではない、
という新たな相違点が認められるものの、その余の点では、両者は、一致するものと認められる。
　そこで、この新たな相違点についてみるに、
刊行物３に記載された発明の
「嵌合凸部１７Ｃ、１７Ｅ」及び「先端」
がそれぞれの機能に照らし、それぞれ
前者の
「位置決め突起」及び「突出端」
に相当するものと認められるから、
刊行物３に記載された発明には、
この新たな相違点の前者の構成が備わっており、このような位置決め突起を突出端側にいくにしたがって絞り込ませるということは周知技術である。
　そして、後者に刊行物３に記載されるような周知技術を適用することに当業者が格別の困難性を要するとはいえない。
　そうすると、後者の位置決め突起をその突出端側にいくに従って絞り込むように構成することは、当業者が格別創意工夫を要することではないというべきである。
　上記相違点（ア）については上記（３）ア・において検討済みである。
　又、上記新たな相違点の前者の効果は、後者及び刊行物３に記載される周知技術の各効果の総和以上の格別なものと認められず、かつ、前者の効果は、後者並びに刊行物２に記載された各発明及び刊行物３に記載される周知技術の各効果の総和以上の格別なものと認められない。
ウ・本件請求項３に係る発明（前者）と刊行物１に記載された発明Ｂ（後者）とを対比すると、
上記（３）ア・に記したように、上記相違点（イ）が実質的な相違ではないから、
両者間には、上記相違点（ア）、又は、上記相違点（ア）及び上記新たな相違点、が認められるものの、その余の点では、両者は、一致するものと認められる。
　そして、上記相違点（ア）については上記（３）ア・で検討済みであり、上記新たな相違点については上記（３）イ・で検討済みである。
　又、前者の効果は、後者及び刊行物２に記載された発明の各効果の総和以上の格別なもの、又は、後者並びに刊行物２に記載された各発明及び刊行物３に記載される周知技術の各効果の総和以上の格別なもの、と認められない。
　なお、特許異議意見書において、刊行物１に記載された発明は、「位置決め穴の底面部に「削り残し」、「削り損じ」、「バリ」等の不良個所が存在しても」という事態を想定していないから、不良個所が存在しても組立作業性の向上を図ることができるという効果を発揮できない旨主張している。しかし、刊行物１に記載された発明の位置決め突起の突出端側に凹み部が形成されている以上、その存在理由の如何はともあれ、その凹み部が、位置決め穴の底面部の「削り残し」、「削り損じ」、「バリ」等の不良個所を、その内部に納め、邪魔にならないようにすること、すなわち、組立作業性の向上に寄与すること、は自明であるから、上記主張を採用することはできない。
（４）むすび
　以上のとおり、本件請求項１に係る発明は、刊行物１及び２に記載された各発明に基いて、本件請求項２に係る発明は、刊行物１〜２に記載された各発明及び刊行物３に記載される周知技術に基いて、本件請求項３に係る発明は、刊行物１及び２に記載された各発明、又は、刊行物１〜２に記載された各発明及び刊行物３に記載される周知技術に基いて、何れも当業者が容易に発明をすることができた発明であるから、特許法第２９条第２項の規定により特許を受けることができない。
　したがって、本件請求項１〜３に係る各発明についての特許は、拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年３月７日（２００３．３．７）
【訂正の要旨】
▲１▼訂正事項１
　特許請求の範囲の減縮を目的として、請求項１を下記のように訂正する。
　【請求項１】裏面に穿設される位置決め穴を有する遊技盤と、
　前記位置決め穴に対し、樋底面に対向する開放部の存在する前方部の適所より突出されると共に、前記遊技盤の裏面に取着される際に、該位置決め穴に嵌め込まれる位置決め突起を有し、前記遊技盤の裏面に取着されて、該遊技盤の裏面に導かれた入賞球を誘導するための誘導経路を形成する入賞球誘導用裏樋と、を備えたパチンコ遊技機において、
　前記入賞球誘導用裏樋は、前記開放部の端縁から延出された耳部を有し、
　前記位置決め突起は、前記耳部に形成されるとともに、その突出端側に形成される凹み部を有し、
　
前記位置決め穴は、底面部と側壁部を有する刳り抜かれた状態のものであり、
　
前記位置決め突起の突出端は、前記位置決め突起の突出端を前記位置決め穴に嵌め込んだ状態で、前記位置決め穴の底面部及び側壁部に囲まれ、
　前記耳部は、入賞球誘導用裏樋を遊技盤の裏面に固定した状態で遊技盤の裏面に接触した状態になることを特徴とするパチンコ遊技機。
▲２▼訂正事項２
　訂正後の特許請求の範囲の記載と発明の詳細な説明の記載との整合を図るために、明りょうでない記載の釈明を目的として、段落（０００６）を下記のように訂正する。
　【０００６】
　【課題を解決するための手段】
　前記目的を達成するため請求項１に係るパチンコ遊技機は、裏面に穿設される位置決め穴を有する遊技盤と、前記位置決め穴に対し、樋底面に対向する開放部の存在する前方部の適所より突出されると共に、前記遊技盤の裏面に取着される際に、該位置決め穴に嵌め込まれる位置決め突起を有し、前記遊技盤の裏面に取着されて、該遊技盤の裏面に導かれた入賞球を誘導するための誘導経路を形成する入賞球誘導用裏樋と、を備えたパチンコ遊技機において、前記入賞球誘導用裏樋は、前記開放部の端縁から延出された耳部を有し、前記位置決め突起は、前記耳部に形成されるとともに、その突出端側に形成される凹み部を有し、
前記位置決め穴は、底面部と側壁部を有する刳り抜かれた状態のものであり、前記位置決め突起の突出端は、前記位置決め突起の突出端を前記位置決め穴に嵌め込んだ状態で、前記位置決め穴の底面部及び側壁部に囲まれ、
（５４）【発明の名称】
パチンコ遊技機
（５７）【特許請求の範囲】
　【請求項１】裏面に穿設される位置決め穴を有する遊技盤と、
　前記位置決め穴に対し、樋底面に対向する開放部の存在する前方部の適所より突出されると共に、前記遊技盤の裏面に取着される際に、該位置決め穴に嵌め込まれる位置決め突起を有し、前記遊技盤の裏面に取着されて、該遊技盤の裏面に導かれた入賞球を誘導するための誘導経路を形成する入賞球誘導用裏樋と、を備えたパチンコ遊技機において、
　前記入賞球誘導用裏樋は、前記開放部の端縁から延出された耳部を有し、
　前記位置決め突起は、前記耳部に形成されるとともに、その突出端側に形成される凹み部を有し、
　
前記位置決め穴は、底面部と側壁部を有する刳り抜かれた状態のものであり、
　
前記位置決め突起の突出端は、前記位置決め突起の突出端を前記位置決め穴に嵌め込んだ状態で、前記位置決め穴の底面部及び側壁部に囲まれ、
　前記耳部は、入賞球誘導用裏樋を遊技盤の裏面に固定した状態で遊技盤の裏面に接触した状態になることを特徴とするパチンコ遊技機。
　【請求項２】前記位置決め突起は、その突出端側にいくに従って絞り込まれていることを特徴とする請求項１に記載のパチンコ遊技機。
　【請求項３】　前記入賞球誘導用裏樋は、所定の樹脂系原料を用いて製造されることを特徴とする請求項１又は請求項２に記載のパチンコ遊技機。
【発明の詳細な説明】
　【０００１】
　【発明の属する技術分野】
　本発明は、入賞球誘導用裏樋（以下、「裏樋」という。）を備えたパチンコ遊技機に関する。
　【０００２】
　【従来の技術】
　パチンコ遊技機の遊技盤（以下、「遊技盤」という。）７１の裏面には、図８に示す様な裏樋７２が取着されることが多い。この裏樋７２は、遊技盤７１の裏面に導かれた入賞球の誘導経路を形成するためのものである。そして、この裏樋７２を、遊技盤７１の裏面に正確に取着することを意図して、この裏面に位置決め穴７１１を穿設し、裏樋７２の前方部の適所に、この位置決め穴７１１に対応する位置決め突起７２１が設けられることが多い（特開平２−７４２７６号公報等）。
　【０００３】
　【発明が解決しようとする課題】
　しかしながら、上記従来の裏樋７２には、以下の様な問題点がある。即ち、位置決め穴７１１は、ドリル等を用いて穿設されることが多いが、この位置決め穴７１１の中には、図８に示す様に、底面部に「削り残し」、「削り損じ」、「バリ」等の不良箇所Ｆが存在するものがある。そして、この様な位置決め穴７１１には、位置決め突起７２１を十分に嵌め込むことは困難なため、裏樋７２が、遊技盤７１の裏面より浮いた状態となることが多い。この結果、裏樋７２に搭載される可動部品の動作に悪影響を与えることが多い。例えば、「アタッカー開成用機構」の裏樋７２から離間すべき部材が、この浮いた状態の裏樋７２に接触し、この機構の可動を困難にすることがある。具体的には、図８に示す様に、開成用ソレノイドの軸８１及びアタッカーの扉（図示しない。）の間に掛け渡された連結部材８２等が、この浮いた状態の裏樋７２に接触することがある。
　また、裏樋７２の上に、防護用のカバーを取着する場合にも、この取着が困難になり易い。
　【０００４】
　一方、▲１▼位置決め穴７１１の穿設に用いられるドリル等の治具を頻繁に研磨し、「不良箇所」Ｆの発生を未然に防止したり、▲２▼穿設される位置決め穴７１１毎に、「不良箇所」Ｆの発生の有無の確認し、発生した「不良箇所」Ｆを削り取る作業等を行うことも考えられるが、これらの作業を行えば、裏樋７２、引いては、パチンコ遊技機（以下、「パチンコ機」という。）の製造コストを高くすることになる。
　以上の様な事情より、穿設される位置決め穴７１１の仕上がり状態が、少々、悪くても、これに対処できる裏樋等の出現が従来より切望されていた。
　【０００５】
　そこで、本発明は、上述した問題点を解決するためになされたものであり、遊技盤の裏面に設けられた位置決め穴の仕上がり状態が少々悪くても、この裏面に正確に取り付けることができる裏樋を備えたパチンコ遊技機を提供することを目的とする。
　【０００６】
　【課題を解決するための手段】
　前記目的を達成するため請求項１に係るパチンコ遊技機は、裏面に穿設される位置決め穴を有する遊技盤と、前記位置決め穴に対し、樋底面に対向する開放部の存在する前方部の適所より突出されると共に、前記遊技盤の裏面に取着される際に、該位置決め穴に嵌め込まれる位置決め突起を有し、前記遊技盤の裏面に取着されて、該遊技盤の裏面に導かれた入賞球を誘導するための誘導経路を形成する入賞球誘導用裏樋と、を備えたパチンコ遊技機において、前記入賞球誘導用裏樋は、前記開放部の端縁から延出された耳部を有し、
前記位置決め穴は、底面部と側壁部を有する刳り抜かれた状態のものであり、前記位置決め突起の突出端は、前記位置決め突起の突出端を前記位置決め穴に嵌め込んだ状態で、前記位置決め穴の底面部及び側壁部に囲まれ、
　【０００７】
　このような特徴を有する請求項１に係るパチンコ遊技機においては、位置決め突起が入賞球誘導用裏樋における開放部の端縁から延出された耳部に形成されるとともに、位置決め突起の突出端側に凹み部を有し、また、耳部は、入賞球誘導用裏樋を遊技盤の裏面に固定した状態で遊技盤の裏面に接触した状態になるように構成されているので、該位置決め突起が嵌挿される位置決め穴の底面部に「削り残し」、「削り損じ」、「バリ」等の不良個所が存在しても、この不良個所を該凹み部の内部に収め、邪魔にならないようにしながら、裏樋を遊技盤裏面に取り付けることができ、組立作業性の向上を図ることができる。また、該位置決め突起の突出端側に凹み部が形成されていることから、前記位置決め穴の仕上がり状態が少々、悪くてもよく、これより位置決め穴の穿設治具（「ドリル」等）の研磨間隔を長くしたり、一の治具の使用期間を長くできる。また、穿設される位置決め穴の不良の有無の確認や、修正等の作業を不要にできるため、パチンコ遊技機の製造効率の向上及び製造コストの低廉化に寄与できる。
　尚、「位置決め突起の高さ」は、対応する位置決め穴の深さとの関係を考慮して定められる。また、「位置決め穴の深さ」は、遊技盤の前面から打ち込まれた釘の先端部に抵触しない範囲（位置決め穴の底面部より、この先端部が突出しない範囲で）定められる。
　【０００８】
　また、請求項２に係るパチンコ遊技機は、請求項１に記載のパチンコ遊技機において、前記位置決め突起は、その突出端側にいくに従って絞り込まれていることを特徴とする。これに基づき、位置決め穴に対して位置決め突起を容易に嵌入することができ、また、裏樋の形成時に位置決め突起の周囲に「ひけ」等の成形不良が発生することを防止することができる。
　【０００９】
　更に、請求項３に係るパチンコ遊技機は、請求項１又は請求項２に記載のパチンコ遊技機において、前記入賞球誘導用裏樋は、所定の樹脂系原料を用いて製造されることを特徴とする。
　【００１０】
　このような特徴を有する請求項３に係るパチンコ遊技機では、入賞球誘導用裏樋は、所定の樹脂系原料を用いて製造されるため、製造効率の向上、製造コストの低廉を図ることが容易になる。尚、「樹脂系原料」の種類、配合組成等は種々選択されるが、例えば、ポリカーボネート、ＡＢＳ、ポリアセタール等を主体とする素材等を例示できる。
　【００１１】
　【発明の実施の形態】
　以下、本発明の実施の形態を説明する。
　本裏樋２は、図１に示す様な遊技盤１の裏面に取着されるものである。
　この遊技盤１は、略矩形板状のベニア合板（板厚；１９．５ｍｍ）を用いて構成されており、上方寄りの略中央には、図２に示す様な覗き孔ｈが設けられている。また、図１に示す様に、遊技盤１の裏面には、この覗き孔ｈに蓋をする様な状態で、液晶表示装置Ｅが取着されている。更に、遊技盤１の前方からは、この覗き孔ｈを通じ、液晶表示装置Ｅの表示面が目視可能とされている。
　【００１２】
　また、遊技盤１の裏面の液晶表示装置Ｅの下方には、アタッカー（図示しない。）の可動を行うアタッカー開成機構Ｇが取着されている。更に、遊技盤１の液晶表示装置Ｅの配置箇所の両脇には、入賞口１１、１２が設けられている。また、これらの下方にも、入賞口１３、１４が設けられている。更に、アタッカー開成機構Ｇの配置箇所の上方には、液晶表示装置Ｅを動作させるための始動入賞口１５が設けられている。また、この箇所の両脇にも、入賞口１６、１７が設けられている。但し、各入賞口１１〜１７の配置箇所、配置数等は、本形態に示すものに限らない。
　また、入賞口１１、１２の上方には、図１及び図３（ａ）に示す様な位置決め穴（穴径；８〜１６ｍｍφ、深さ；３〜３．５ｍｍ）１８１、１８２が設けられている。更に、入賞口１６、１７の内側にも、図１及び図３（ｂ）に示す様な位置決め穴（穴径；８〜１６ｍｍφ、深さ；３〜３．５ｍｍ）１８３、１８４が設けられている。但し、各位置決め穴１８１〜１８４の配置箇所、配置数等は、図１に示すものに限らない。尚、図１では、遊技盤１の裏面に配置される各部材のうちで、裏樋２、液晶表示装置Ｅ及びアタッカー開成機構Ｇのみを図示し、これら以外の部材（各配線、入賞球検出装置等）の図示を省略している。
　【００１３】
　一方、上記裏樋２は、半透明な合成樹脂材を用いて構成され、遊技盤１の裏面２１の上方側に取着される上方部２ａと、下方側に取着される下方部２ｂとからなる。但し、この上方部２ａ及び下方部２ｂが一体とされた裏樋２であってもよい。
　このうち、上方部２ａは、本体部（板厚；２ｍｍ）２１ａと、その上方側、中間側及び下方側の各両脇に配置された耳部（板厚；２ｍｍ）Ｍ１〜Ｍ６とを備えている。
　この本体部２１ａは、略アーチ状の樋経路を描いる。そして、図２に示す様に、樋底面２１１ａを遊技盤１の裏面と離間させつつ、この樋底面２１１ａに対向する開放部２１２ａ（樋経路に沿った開方端縁）を、遊技盤１の裏面に略接触若しくは近接させている。
　【００１４】
　また、耳部Ｍ１〜Ｍ６は、いずれも、略板状の外形とされ、本体部２１ａの側壁の開放部２１２ａ側の端縁から略水平に配置されている。〔３（ａ）参照）〕。更に、耳部Ｍ１〜Ｍ６のうちで、中間側に配置されるものＭ５及びＭ６の略中心には、図３（ａ）に示す様に、表裏両面を貫通する貫通孔（孔径；１７〜１７．２ｍｍφ）Ｄが設けられている。また、この孔Ｄの周囲からは、この孔Ｄと連通する中空部（孔径；１２ｍｍφ）Ｐを備えた位置決め突起（高さ；２．５ｍｍ、根元側の外径；１７ｍｍφ、突出端側の外径；１５ｍｍφ）Ｔが突出されている。尚、図３（ａ）に示す様に、位置決め突起Ｔの外径が、突出端側に行くに従って絞り込まれているのは、▲１▼各突起Ｔの位置決め穴１８１、１８２への嵌入を容易にすると共に、▲２▼裏樋２の成形時に、この突起Ｔの周囲に、「ひけ」等の成形不良が発生することを防止するためである。そして、各位置決め突起Ｔ、Ｔの間隔は、遊技盤１の裏面の上方側で、左右に並ぶ位置決め穴１８１、１８２の間隔に略対応している。
　【００１５】
　また、残りの耳部Ｍ１〜Ｍ４の略中央には、ビス孔が設けられられている。
　そして、図１及び３（ａ）に示す様に、各置決め用突起Ｔ、Ｔを、対応する各位置決め穴１８１、１８２に嵌め込めば、上方部２ａは、遊技盤１の裏面の上方側に位置合わせされる。更に、耳部Ｍ１〜Ｍ４のビス孔に向かって、所定の固定用ビスＱを打ち込めば、上方部１ａは、図１に示す様に遊技盤１の裏面に固定される。このとき、上方部２ａの前方部Ｚ１〔図２及び３（ａ）参照〕のうちで、各耳部Ｍ１〜Ｍ６等が、遊技盤１の裏面に接触した状態となる。
　その際、図３（ａ）に示す様に、各位置決め穴１８１、１８２の底面に、不良箇所Ｆが存在しても、この箇所Ｆは中空部Ｐの内部に納まる。従って、各位置決め穴１８１、１８２の仕上がり状態が、少々悪くても、遊技盤１の裏面に正確に取着できる。
　そして、この上方部２ａは、遊技盤１の裏面側に、液晶表示装置Ｅの下方を除く箇所を取り囲む誘導経路を形成する。この誘導経路は、液晶表示装置Ｅの両脇の入賞口１１、１２を通じ、遊技盤１の裏面に導かれた入賞球を誘導する。また、この様に誘導される入賞球は、上方部２ａの下端の開口部２５３ａ、２５４ａを通じて、下方部２ｂの方向へと導かれる。
　【００１６】
　一方、下方部２ｂも、略アーチ状の外形とされた本体部２１ｂと、本体部２１ｂの上下両脇から略水平に突出する耳部ｍ１〜ｍ４と、本体部２１ｂの一対の傾斜壁から下方側に突出する耳部ｍ５、ｍ６とを備えている。そして、下方側に突出する耳部ｍ５、ｍ６には、図３（ｂ）に示す様に、上記貫通孔Ｄと同様な貫通孔ｄが設けられている。また、これらの耳部ｍ５、ｍ６のこの貫通孔ｄの周囲からは、上記中空部Ｐと同様な中空部ｐを備えた同様な位置決め突起ｔが突出している。更に、下方部２ｂの左右に並ぶ位置決め突起ｔ、ｔの間隔は、遊技盤１の裏面の下方側で、左右に並ぶ位置決め穴１８３、１８４の間隔に略対応している。更に、残りの耳部ｍ１〜ｍ４にも、固定用ビスｑが打ち込まれるビス孔（図示しない。）が設けられられている。
　【００１７】
　そして、この下方部２ｂも、対応する位置決め穴１８３、１８４の仕上がり状態によらず、遊技盤１の裏面に正確に取着できる。このとき、下方部２ｂの前方部Ｚ２〔図３（ｂ）参照〕のうちで、各耳部ｍ１〜ｍ６等が、遊技盤１の裏面に接触した状態となる。
　また、この下方部２ｂは、アタッカー開成機構Ｇの下方側を除く箇所を取り囲む誘導経路を形成する。この誘導経路は、上方部２ａの下端の開口部２５３ａ、２５４ａを通じて流下する入賞球を、上端の開口部２５１ｂ、２５２ｂで補給し、下端の開口部２５３ｂ、２５４ｂへと誘導する。これと同時に、これらの誘導経路の守備範囲に設けられた入賞口１３〜１７を通じて、遊技盤１の裏面に導かれた入賞球の誘導を行う。
　但し、上記誘導経路の各守備範囲に、更に別の入賞口が設けられれば、各誘導経路は、これらの入賞口で導かれた入賞球の誘導をも行うことになる。
　【００１８】
　以上の様に構成される上方部２ａ及び下方部２ｂは、図４に示す様な金型を用いて容易に、一体成形できる。
　この金型は、上型Ｋ１と、下型Ｋ２と、孔形成用部材Ｋ３を備えている。このうち、上型Ｋ１は、所定の金型素材の下面側（衝合面側）に切削加工を施して作製されたものである。また、下型Ｋ２は、所定の金型素材を、そのまま用いたものである。但し、上型Ｋ１の下面側及び上型Ｋ１の上面側（衝合面側）の双方に切削加工を施して作製された金型であってもよい。
　更に、下型Ｋ２の上面側のうちで、各位置決め突起Ｔ、ｔの形成される箇所には、取付穴Ｈ１が穿設されている。
　【００１９】
　また、上記孔形成用部材Ｋ３は、略円柱状の凸状部Ｋ３１、と、凸状部Ｋ３１の裏面から突出するピン状部Ｋ３２とを備えている。そして、この凸状部Ｋ３１は、各貫通孔及び各中空部が連通して構成される連通状の孔（Ｄ及びＰ、ｄ及びｐが形成する孔）の孔形状と、凹凸の反転した凸形状とされている。また、この凸状部Ｋ３１は、ピン状部Ｋ３２を取付穴Ｈ１に嵌入することにより、下型Ｋ２の上面側に固定される。尚、ピン状部Ｋ３２の側周面に雄螺子部を設け、取付穴Ｈ１の内周面にこれと螺合する雌螺子部を設けることもできる。
　そして、孔形成用部材Ｋ３を、下型Ｋ２の上面側に取着した後に、上型Ｋ１及び下型Ｋ２の衝合面を合わせ、型閉状態にすれば、上型Ｋ１及び下型Ｋ２の間に、上方部２ａ若しくは下方部２ｂの外形と凹凸の反転した形状の成形空間が形成される。
　【００２０】
　以上の様に、本裏樋２は、位置決め穴１８１〜１８４の仕上がり状態が少々、悪くても、遊技盤１の裏面に正確に取着できる。そして、本裏樋２は、図３（ｂ）に示す様に、裏樋２に「アタッカー開成機構」Ｇ等を搭載したり、防護用のカバーを取着する場合に、特に好適である。
　また、この裏樋２を用いれば、位置決め穴１８１〜１８４の仕上がり状態をあまり気にする必要がないため、裏樋２、引いては、パチンコ機の製造効率の向上及び製造コストの低廉化に寄与できる。更に、本裏樋２は、金型を用いて容易に一体成形できるため、製造コストを低く抑えられる。
　【００２１】
　また、上記金型は、パチンコ機のモデルチェンジ等に伴い、裏樋２における各置決め用突起Ｔ、ｔの形成箇所等の変更があっても、以下に示す「手直し」を行えば、瞬時に対応できる。即ち、図４の上型Ｋ１の切削加工された部分のうちで、各置決め用突起Ｔ、ｔの形成するための縦断面台形状の凹状部Ｌ１を、上型Ｋ１の構成素材と同様な素材で充填する。次いで、新たな突起Ｔ、ｔに対応する上型Ｋ１の部分を切削し、新たな凹状部を形成する。そして、下型Ｋ２の取付穴Ｈ１を充填した後に、新たな突起Ｔ、ｔを形成する箇所に、新たな取付穴を設ければ足りる。これに対し、凸状部Ｋ３１が、下型Ｋ２の上面側と一体不可分になっていれば、下型Ｋ２の手直しには、大きな手間が必要となる。即ち、下型Ｋ２の上面側の凸状部Ｋ３１を除く箇所を、上記素材で充填した後に、新たな凸状部以外の箇所を切削する必要があるからである。この様に、本金型では、上記「手直し」を容易に行える。
　【００２２】
　また、中空部Ｐ、ｐの大きさを変更する場合は、孔形成用部材Ｋ３を所望の外径を備えるものに交換すれば足りる。
　更に、図５に示す様に、孔形成用部材Ｋ３を上型Ｋ１の側に取着すれば、「手直し」が一層、容易になる。即ち、上型Ｋ１の凹状部Ｌ２及び取付穴Ｈ２を、上記素材で充填した後、新たな凹状部及び取付穴を形成すれば足りる。即ち、上型Ｋ１の修正のみで、対処できるからである。
　また、本形態では、耳部Ｍ５、Ｍ６、ｍ５、ｍ６に貫通孔Ｄ、ｄを設けたが、図６（ａ）、（ｂ）に示す様に、貫通孔Ｄ、ｄを備えない裏樋２ｍ、２ｎとしてもよい。また、これらの場合、図６（ｂ）に示す様に、突出端側に凹み部Ｒを備えた位置決め突起Ｔ、ｔとすることもできる。更に、耳部Ｍ５、Ｍ６、ｍ５、ｍ６に、貫通孔Ｄ、ｄの代わりに、中空部Ｐ、ｐと連続状態となる凹み穴を設けてもよい。
　更に、これらの裏樋２ｍ、２ｎ等を製造するための金型は、図５の金型に簡単な改良を加えること等により得られる。例えば、図７に示す様に、図５の孔形成用部材Ｋ３を、凸状部Ｋ３１を薄手にして構成される穴形成用部材Ｋ５に取り替えれば足りる。
　【００２３】
　尚、本発明においては、上記具体的な実施の形態に示すものに限らず、目的、用途に応じて本発明の範囲内で種々変更した別の実施の形態、変形的な形態、別の実施例、変形例とすることができる。即ち、上方部２ａ、下方部２ｂにおける各位置決め突起Ｔ、ｔの配置箇所、配置数、サイズ等は、本形態に示すものに限らない。また、裏樋２は、（イ）２以上の部分により構成されたものであっても、（ロ）一体品であってもよい。尚、前者（イ）の場合、パチンコ機のモデルチェンジ等に伴い、一の部分の形状変更が必要な場合にも、残りの部分を、そのまま使用できるというメリットがある。
　上記位置決め突起Ｔ、ｔの平面形状は、円形リング形状、楕円形リング形状とされることが多いが、三角リング形状、多角形リング形状等の他の形状であってもよい。
　【００２４】
　【発明の効果】
　以上説明した通り、請求項１に係るパチンコ遊技機では、位置決め突起が入賞球誘導用裏樋における開放部の端縁から延出された耳部に形成されるとともに、位置決め突起の突出端側に凹み部を有し、また、耳部は、入賞球誘導用裏樋を遊技盤の裏面に固定した状態で遊技盤の裏面に接触した状態になるように構成されているので、該位置決め突起が嵌挿される位置決め穴の底面部に「削り残し」、「削り損じ」、「バリ」等の不良個所が存在しても、この不良個所を該凹み部の内部に収め、邪魔にならないようにしながら、裏樋を遊技盤裏面に取り付けることができ、組立作業性の向上を図ることができる。また、該位置決め突起の突出端側に凹み部が形成されていることから、前記位置決め穴の仕上がり状態が少々、悪くてもよく、これより位置決め穴の穿設治具（「ドリル」等）の研磨間隔を長くしたり、一の治具の使用期間を長くできる。また、穿設される位置決め穴の不良の有無の確認や、修正等の作業を不要にできるため、パチンコ遊技機の製造効率の向上及び製造コストの低廉化に寄与できる。
　【００２５】
　また、請求項２に係るパチンコ遊技機では、位置決め突起は、その突出端側にいくに従って絞り込まれていることに基づき、位置決め穴に対して位置決め突起を容易に嵌入することができ、また、裏樋の形成時に位置決め突起の周囲に「ひけ」等の成形不良が発生することを防止することができる。
　【００２６】
　更に、請求項３に係るパチンコ遊技機では、入賞球誘導用裏樋は、所定の樹脂系原料を用いて製造されるため、製造効率の向上、製造コストの低廉を図ることが容易になる。
【図面の簡単な説明】
　【図１】
　発明の実施の形態に係わる裏樋が遊技盤の裏面に取着された状態を示す概略的な説明図である。
　【図２】
　図１の裏樋及び遊技盤の覗き孔を通る水平面で切断した概略的な縦断面図である。
　【図３】
　（ａ）図１の上方部２ａ及び遊技盤１を位置決め突起Ｔの中心を通る垂直面で切断した概略的な縦断面図、（ｂ）図１の下方部２ｂ及び遊技盤１を位置決め突起ｔの中心を通る垂直面で切断した概略的な縦断面図である。
　【図４】
　図１の裏樋及びこの裏樋を製造するための金型の概略的な一部縦断面図である。
　【図５】
　図４の変形例に係わる金型の概略的な一部縦断面図である。
　【図６】
　（ａ）発明の実施の形態の変形例に係わる裏樋を遊技盤の裏面に取着した状態を示す概略的な一部縦断面図、（ｂ）発明の実施の形態の変形例に係わる裏樋を遊技盤の裏面に取着した状態を示す概略的な一部縦断面図である。
　【図７】
　図６（ａ）、（ｂ）に示す裏樋の製造するための金型の概略的な一部縦断面図である。
　【図８】
　従来例に係わる裏樋を遊技盤の裏面に取着した状態を示す概略的な一部縦断面図である。
　【図９】
　従来例に係わる裏樋及びこの裏樋を製造するための金型の概略的な一部縦断面図である。
　【図１０】
　（ａ）従来例に係わる金型に手直しを施す手順を示す概略的な一部縦断面図、（ｂ）従来例に係わる金型に手直しを施す手順を示す概略的な一部縦断面図である。
　【符号の説明】
　１；遊技盤、１１〜１７；入賞口、１８１〜１８４；位置決め穴、Ｅ；液晶表示装置、Ｇ；アタッカー開成機構、２；裏樋、２ａ；上方部、２１１ａ；樋底面、２１２ａ；開方部、２ｂ；下方部、Ｍ１〜Ｍ６、ｍ１〜ｍ６；耳部、Ｄ、ｄ；貫通孔、Ｐ、ｐ；中空部、Ｔ、ｔ；位置決め突起、Ｋ１；上型、Ｋ２；下型、Ｈ１、Ｈ２；取付穴、Ｋ３；孔形成用部材、Ｋ３１；凸状部、Ｋ３２；ピン状部。